(57)【要約】【課題】電池モジュールの組付け性を向上させることができるカバーユニット、及び電池モジュールの製造方法を提供する。【解決手段】カバーユニット１０は、第１方向Ｄ１に沿って配列された複数の電池セル１１を含む配列体２に設けられ複数の電池セル１１のケース１２の頂面１２ａを覆うためのカバー８と、第１方向Ｄ１と交差する第２方向Ｄ２に頂面１２ａから突出した電極端子１３Ａ又は電極端子１３Ｂに接続される接続端子６１を有するハーネス６と、を備え、カバー８は、頂面１２ａを覆うための被覆面８４ｓを含む本体部８４と、被覆面８４ｓ上に設けられ接続端子６１を保持するハーネス保持部８６と、を有し、ハーネス保持部８６は、被覆面８４ｓによって頂面１２ａを覆う状態において電極端子１３Ａ又は電極端子１３Ｂに対応する位置に、接続端子６１を保持する。【選択図】図４
2018101488.tif 000002
【特許請求の範囲】
【請求項１】
第１方向に沿って配列された複数の電池セルを含む配列体に設けられ前記複数の電池セルの第１面を覆うためのカバーと、
前記第１方向と交差する第２方向に前記第１面から突出した第１電極端子及び第２電極端子のそれぞれに接続される第１接続端子及び第２接続端子を有するハーネスと、を備え、
前記カバーは、前記第１面を覆うための第２面を含む本体部と、前記第２面上に設けられ前記第１接続端子及び前記第２接続端子のそれぞれを保持する第１保持部及び第２保持部と、を有し、
前記第１保持部は、前記第２面によって前記第１面を覆う状態において前記第１電極端子に対応する位置に、前記第１接続端子を保持し、
前記第２保持部は、前記第２面によって前記第１面を覆う状態において前記第２電極端子に対応する位置に、前記第２接続端子を保持する、カバーユニット。
【請求項２】
前記第１保持部は、前記第１接続端子を挟んで互いに対向するように前記第２面から前記第２方向に延びる一対の第１延設部と、前記一対の第１延設部のそれぞれに設けられ前記一対の第１延設部に挟まれた前記第１接続端子を前記第２方向に係止する一対の第１係止片と、を含む、請求項１に記載のカバーユニット。
【請求項３】
前記第１保持部は、前記第２面によって前記第１面を覆う状態において前記第１電極端子に接続される姿勢に、前記第１接続端子を支持する支持部を含む、請求項１又は２に記載のカバーユニット。
【請求項４】
前記カバーには、前記第２面によって前記第１面を覆う状態において、前記第２方向から見て前記第１電極端子及び前記第２電極端子のそれぞれと重複する位置に第１挿通孔及び第２挿通孔が設けられており、
前記第１挿通孔は、前記第１電極端子に前記第１接続端子を締結するための第１締結具を挿通可能に形成され、
前記第２挿通孔は、前記第２電極端子に前記第２接続端子を締結するための第２締結具を挿通可能に形成されている、請求項１〜３のいずれか一項に記載のカバーユニット。
【請求項５】
前記第１電極端子と、前記第１面から前記第２方向に突出すると共に前記第１方向において前記第１電極端子の隣に位置する第３電極端子と、を接続するためのバスバーを更に備え、
前記カバーは、前記本体部における前記第２面上に設けられ前記バスバーを保持する第３保持部を更に有し、
前記第３保持部は、前記第２面によって前記第１面を覆う状態において前記第１電極端子及び前記第３電極端子に対応する位置に、前記バスバーを保持する、請求項１〜４のいずれか一項に記載のカバーユニット。
【請求項６】
前記第３保持部は、前記バスバーを挟んで互いに対向するように前記第２面から前記第２方向に延びる一対の第２延設部と、前記一対の第２延設部のそれぞれに設けられ前記一対の第２延設部に挟まれた前記バスバーを前記第２方向に係止する一対の第２係止片と、を含む、請求項５に記載のカバーユニット。
【請求項７】
前記第２面上に配置され、前記電池セルの温度を監視するための温度センサと、
前記第２面上に前記温度センサを保持すると共に、前記温度センサに対して前記第２面から離れる向きの押圧力を付与する押圧部と、を更に備える、請求項１〜６のいずれか一項に記載のカバーユニット。
【請求項８】
第１方向に沿って配列された複数の電池セルを含む配列体と、
前記配列体に設けられ前記複数の電池セルの第１面を覆うためのカバーと、
前記第１方向と交差する第２方向に前記第１面から突出した第１電極端子及び第２電極端子のそれぞれに接続された第１接続端子及び第２接続端子を有するハーネスと、を備え、
前記カバーは、前記第１面を覆う第２面を含む本体部と、前記第２面上に設けられ前記第１接続端子及び前記第２接続端子のそれぞれを保持するための第１保持部及び第２保持部と、を有し、
前記第１保持部は、前記第１接続端子から離間すると共に、前記第２方向から見て前記第１接続端子に重複する位置に設けられており、
前記第２保持部は、前記第２接続端子から離間すると共に、前記第２方向から見て前記第２接続端子に重複する位置に設けられている、電池モジュール。
【請求項９】
第１方向に沿って配列された複数の電池セルを含む配列体と、前記配列体に設けられ前記複数の電池セルの第１面を覆うためのカバーと、前記第１方向と交差する第２方向に前記第１面から突出した第１電極端子及び第２電極端子のそれぞれに接続される第１接続端子及び第２接続端子を有するハーネスと、を備える電池モジュールの製造方法であって、
前記カバーと前記ハーネスとを一体的に組み付けたカバーユニットを準備する準備工程と、
前記配列体と前記カバーユニットとを組み付ける組付け工程と、
前記組付け工程の後に、前記第１電極端子及び第２電極端子のそれぞれに前記第１接続端子及び前記第２接続端子を締結する締結工程と、を備え、
前記カバーは、前記第１接続端子を前記第１電極端子に対応する位置に保持するための第１保持部と、前記第２接続端子を前記第２電極端子に対応する位置に保持するための第２保持部と、を有し、
前記準備工程では、前記第１保持部が前記第１接続端子を保持すると共に前記第２保持部が前記第２接続端子を保持するように、前記カバーと前記ハーネスとを一体的に組み付ける、電池モジュールの製造方法。
【請求項１０】
前記締結工程では、前記第１接続端子を前記第１保持部から分離して前記第１電極端子に締結する、請求項９に記載の電池モジュールの製造方法。
【請求項１１】
前記電池モジュールは、前記第１電極端子と、前記第１面から前記第２方向に突出すると共に前記第１方向において前記第１電極端子の隣に位置する第３電極端子と、を接続するためのバスバーを更に備え、
前記カバーは、前記バスバーを前記第１電極端子及び前記第３電極端子に対応する位置に保持するための第３保持部を更に有し、
前記準備工程では、前記第３保持部が前記バスバーを保持するように、前記カバーと前記バスバーとを一体的に組み付け、
前記締結工程では、前記第１接続端子に加えて前記バスバーを前記第１電極端子に締結し、前記第３電極端子に前記バスバーを締結する、請求項９又は１０に記載の電池モジュールの製造方法。
【請求項１２】
前記締結工程では、前記バスバーを前記第１電極端子及び前記第３電極端子に並行して締結する、請求項１１に記載の電池モジュールの製造方法。
【発明の詳細な説明】
【技術分野】
【０００１】
本発明は、カバーユニット、電池モジュール、及び電池モジュールの製造方法に関する。
【背景技術】
【０００２】
特許文献１には、組電池が記載されている。この組電池は、互いに積層された複数の電池セルと、電池セルの電圧を検出する回路基板と、回路基板を取り付ける回路基板固定部材と、回路基板固定部材に配置された配線部と、を備えている。配線部は、隣り合う電池セルの電極端子を接続するバスバーと、可撓性配線部を介してバスバーに接続されたリードフレームと、を含む。
【先行技術文献】
【特許文献】
【０００３】
【特許文献１】特開２０１５−２２９６５号公報
【発明の概要】
【発明が解決しようとする課題】
【０００４】
ところで、上記の組電池といった電池モジュールにあっては、電池セル同士を電気的に接続するためのバスバーに加えて、電池セルと所定の回路との電気的な接続を行うハーネスが設けられる場合がある。その場合には、予め配列された複数の電池セルの電極端子のそれぞれに対してハーネスが接続端子を取り付けられる。
【０００５】
しかしながら、ハーネスは、電池モジュールにおける他の部品と比較して変形しやすいため、接続端子の位置を定めにくい。したがって、電池モジュールの製造ラインにおいては、ハーネスの接続端子を電極端子に取り付ける工程で個々の接続端子の位置を定める手間が生じている。そのため、電池モジュールの組付け性の向上が望まれている。
【０００６】
本発明は、電池モジュールの組付け性を向上させることができるカバーユニット、電池モジュール、及び電池モジュールの製造方法を提供する。
【課題を解決するための手段】
【０００７】
本発明の一側面に係るカバーユニットは、第１方向に沿って配列された複数の電池セルを含む配列体に設けられ複数の電池セルの第１面を覆うためのカバーと、第１方向と交差する第２方向に第１面から突出した第１電極端子及び第２電極端子のそれぞれに接続される第１接続端子及び第２接続端子を有するハーネスと、を備える。カバーは、第１面を覆うための第２面を含む本体部と、第２面上に設けられ第１接続端子及び第２接続端子のそれぞれを保持する第１保持部及び第２保持部と、を有する。第１保持部は、第２面によって第１面を覆う状態において第１電極端子に対応する位置に、第１接続端子を保持する。第２保持部は、第２面によって第１面を覆う状態において第２電極端子に対応する位置に、第２接続端子を保持する。
【０００８】
このカバーユニットにおいて、ハーネスの第１接続端子及び第２接続端子のそれぞれは、カバーに設けられた第１保持部及び第２保持部に保持されている。これにより、カバーに対する第１接続端子及び第２接続端子の相対的な位置が規定される。また、第１接続端子は、カバーの第２面によって電池セルの第１面を覆う状態において第１電極端子に対応する位置に保持される。同様に、第２接続端子は、カバーの第２面によって電池セルの第１面を覆う状態において第２電極端子に対応する位置に保持される。そのため、配列体にカバーユニットを組み付けるだけの簡易な動作によって、第１接続端子と第１電極端子との位置決め、及び第２接続端子と第２電極端子との位置決めを行うことができる。したがって、電池モジュールの組付け性を向上させることができる。
【０００９】
第１保持部は、第１接続端子を挟んで互いに対向するように第２面から第２方向に延びる一対の第１延設部と、一対の第１延設部のそれぞれに設けられ一対の第１延設部に挟まれた第１接続端子を第２方向に係止する一対の第１係止片と、を含んでいてもよい。この構成によれば、第２面から第２方向に延びる一対の第１延設部は、第２面と反対側の端部において自由端となっているので、変形しやすい。また、第１接続端子を第２方向に係止する一対の第１係止片のそれぞれは、この一対の第１延設部に設けられている。そのため、例えば、一対の第１係止片に対して第２方向に力が加わることにより、一対の第１延設部が互いに離れる方向に変形する。よって、一対の第１係止片による第１接続端子の係止が解除され、第１接続端子をカバーから分離することができる。したがって、カバーユニットを配列体に組み付けた後、第１接続端子をカバーから分離させて電池セルの第１電極端子に固定することができる。これにより、第１接続端子の位置がカバーに拘束されなくなるので、第１接続端子は電池セルの膨張に追従することができる。
【００１０】
第１保持部は、第２面によって第１面を覆う状態において第１電極端子に接続される姿勢に、第１接続端子を支持する支持部を含んでいてもよい。この構成によれば、第１接続端子は、カバーの第２面によって電池セルの第１面を覆う状態において、第１電極端子に接続される姿勢に保持される。したがって、配列体にカバーユニットを組み付ける動作によって、第１接続端子が第１電極端子に接続される姿勢に保持された状態で、第１接続端子と第１電極端子との位置決めをすることができる。よって、電池モジュールの組付け性を一層向上させることができる。
【００１１】
カバーには、第２面によって第１面を覆う状態において、第２方向から見て第１電極端子及び第２電極端子のそれぞれと重複する位置に第１挿通孔及び第２挿通孔が設けられていてもよい。第１挿通孔は、第１電極端子に第１接続端子を締結するための第１締結具を挿通可能に形成され、第２挿通孔は、第２電極端子に第２接続端子を締結するための第２締結具を挿通可能に形成されていてもよい。この構成によれば、配列体にカバーユニットを組み付けた状態で、第１挿通孔から第１締結具を挿通させて第１電極端子に第１接続端子を締結することができると共に、第２挿通孔から第２締結具を挿通させて第２電極端子に第２接続端子を締結することができる。
【００１２】
また、カバーユニットは、第１電極端子と、第１面から第２方向に突出すると共に第１方向において第１電極端子の隣に位置する第３電極端子と、を接続するためのバスバーを更に備えていてもよい。カバーは、本体部における第２面上に設けられバスバーを保持する第３保持部を更に有し、第３保持部は、第２面によって第１面を覆う状態において第１電極端子及び第３電極端子に対応する位置に、バスバーを保持していてもよい。この構成によれば、バスバーは、カバーに設けられた第３保持部に保持されている。これにより、カバーに対するバスバーの相対的な位置が規定される。また、バスバーは、カバーの第２面によって電池セルの第１面を覆う状態において、第１電極端子及び当該第１電極端子の隣に位置する第３電極端子に対応する位置に保持される。そのため、配列体にカバーユニットを組み付ける動作によって、バスバーと第１電極端子及び第３電極端子との位置決めを行うことができる。したがって、電池モジュールの組付け性を一層向上させることができる。
【００１３】
第３保持部は、バスバーを挟んで互いに対向するように第２面から第２方向に延びる一対の第２延設部と、一対の第２延設部のそれぞれに設けられ一対の第２延設部に挟まれたバスバーを第２方向に係止する一対の第２係止片と、を含んでいてもよい。この構成によれば、上述した第１保持部と同様に、例えば、第２係止片に対して第２方向に力が加わることにより、一対の第２延設部が互いに離れる方向に変形する。よって、一対の第２係止片によるバスバーの係止が解除され、バスバーをカバーから分離することができる。したがって、カバーユニットを配列体に組み付けた後、バスバーをカバーから分離させて電池セルの第１電極端子及び第３電極端子に固定することができる。これにより、バスバーの位置がカバーに拘束されなくなるので、バスバーは電池セルの膨張に追従することができる。
【００１４】
第２面上に配置され、電池セルの温度を監視するための温度センサと、第２面上に温度センサを保持すると共に、温度センサに対して第２面から離れる向きの押圧力を付与する押圧部と、を更に備えていてもよい。この構成によれば、配列体にカバーユニットを組み付ける動作によって、温度センサを取り付けることができる。また、カバーの第２面上に温度センサを保持する押圧部が、温度センサに対して第２面から離れる向きの押圧力を付与する。そのため、カバーの第２面によって電池セルの第１面を覆う状態において、温度センサを電池セルに押し付けることができる。これにより、温度センサによって電池セルの温度を測定することが可能である。
【００１５】
本発明の別の側面に係る電池モジュールは、第１方向に沿って配列された複数の電池セルを含む配列体と、配列体に設けられ複数の電池セルの第１面を覆うためのカバーと、第１方向と交差する第２方向に第１面から突出した第１電極端子及び第２電極端子のそれぞれに接続された第１接続端子及び第２接続端子を有するハーネスと、を備え、カバーは、第１面を覆う第２面を含む本体部と、第２面上に設けられ第１接続端子及び第２接続端子のそれぞれを保持するための第１保持部及び第２保持部と、を有し、第１保持部は、第１接続端子から離間すると共に、第２方向から見て第１接続端子に重複する位置に設けられており、第２保持部は、第２接続端子から離間すると共に、第２方向から見て第２接続端子に重複する位置に設けられている。
【００１６】
この電池モジュールによれば、カバーが第１接続端子及び第２接続端子のそれぞれを保持するための第１保持部及び第２保持部を有するので、電池モジュールの製造において、カバーに対するハーネスの第１接続端子及び第２接続端子の相対的な位置が規定され得る。また、第２方向から見て第１接続端子に重複する位置に第１保持部が設けられており、第２方向から見て第２接続端子に重複する位置に第２保持部が設けられている。これにより、第１接続端子及び第２接続端子を保持した状態のカバーを配列体に組み付けるだけの簡易な動作によって、第１接続端子と第１電極端子との位置決め、及び第２接続端子と第２電極端子との位置決めを行うことができる。したがって、電池モジュールの組付け性を向上させることができる。
【００１７】
また、電池モジュールにおいて、第１保持部及び第２保持部のそれぞれは、第１接続端子及び第２接続端子から離間している。よって、第１接続端子及び第２接続端子のそれぞれが第１電極端子及び第２電極端子のそれぞれに接続された電池モジュールにおいては、第１保持部及び第２保持部は、第１接続端子及び第２接続端子の位置を規定していない。これにより、第１接続端子及び第２接続端子の位置がカバーに拘束されなくなるので、第１接続端子及び第２接続端子は電池セルの膨張に追従することができる。
【００１８】
本発明の更に別の側面に係る電池モジュールの製造方法は、第１方向に沿って配列された複数の電池セルを含む配列体と、配列体に設けられ複数の電池セルの第１面を覆うためのカバーと、第１方向と交差する第２方向に第１面から突出した第１電極端子及び第２電極端子のそれぞれに接続される第１接続端子及び第２接続端子を有するハーネスと、を備える電池モジュールの製造方法である。この電池モジュールの製造方法は、カバーとハーネスとを一体的に組み付けたカバーユニットを準備する準備工程と、配列体とカバーユニットとを組み付ける組付け工程と、組付け工程の後に、第１電極端子及び第２電極端子のそれぞれに第１接続端子及び第２接続端子を締結する締結工程と、を備える。カバーは、第１接続端子を第１電極端子に対応する位置に保持するための第１保持部と、第２接続端子を第２電極端子に対応する位置に保持するための第２保持部と、を有する。準備工程では、第１保持部が第１接続端子を保持すると共に、第２保持部が第２接続端子を保持するように、カバーとハーネスとを一体的に組み付ける。
【００１９】
この電池モジュールの製造方法では、準備工程において、カバーとハーネスとが一体的に組み付けられるので、カバーに対するハーネスの第１接続端子及び第２接続端子の相対的な位置が規定される。このとき、第１接続端子を第１電極端子に対応する位置に保持するための第１保持部が第１接続端子を保持すると共に、第２接続端子を第２電極端子に対応する位置に保持するための第２保持部が第２接続端子を保持するように、カバーとハーネスとが一体的に組み付けられる。これにより、組付け工程において、カバーユニットを配列体に組み付けるだけの簡易な動作によって、第１接続端子と第１電極端子との位置決め、及び第２接続端子と第２電極端子との位置決めを行うことができる。そして、締結工程において、位置決めされた状態の第１接続端子及び第１電極端子を締結することができると共に、位置決めされた状態の第２接続端子及び第２電極端子とを締結することができる。したがって、電池モジュールの組付け性を向上させることができる。
【００２０】
準備工程では、締結工程では、第１接続端子を第１保持部から分離して第１電極端子に締結してもよい。この構成によれば、カバーユニットを配列体に組み付けた後、ハーネスの第１接続端子がカバーから分離して電池セルの第１電極端子に締結される。これにより、第１接続端子の位置がカバーに拘束されなくなるので、第１接続端子は電池セルの膨張に追従することができる。
【００２１】
電池モジュールは、第１電極端子と、第１面から第２方向に突出すると共に第１方向において第１電極端子の隣に位置する第３電極端子と、を接続するためのバスバーを更に備え、カバーは、バスバーを第１電極端子及び第３電極端子に対応する位置に保持するための第３保持部を更に有し、準備工程では、第３保持部がバスバーを保持するように、カバーとバスバーとを一体的に組み付け、締結工程では、第１電極端子に第１接続端子に加えてバスバーを締結し、第３電極端子にバスバーを締結してもよい。この構成によれば、準備工程において、カバーとバスバーとが一体的に組み付けられるので、カバーに対するバスバーの相対的な位置が規定される。このとき、バスバーを第１電極端子及び第３電極端子に対応する位置に保持するための第３保持部がバスバーを保持するように、カバーとバスバーとが一体的に組み付けられる。これにより、配列体にカバーユニットを組み付ける動作によって、バスバーと第１電極端子及び第３電極端子との位置決めを行うことができる。したがって、電池モジュールの組付け性を一層向上させることができる。
【００２２】
締結工程では、第１電極端子及び第３電極端子にバスバーを並行して締結してもよい。この構成によれば、締結作業において、第１電極端子及び第３電極端子の一方ずつに順にバスバーを締結する場合と比較して、バスバーの姿勢が傾くことを抑制することができる。
【発明の効果】
【００２３】
本発明によれば、電池モジュールの組付け性を向上させることができる。
【図面の簡単な説明】
【００２４】
【図１】本実施形態に係る電池モジュールを示す斜視図である。
【図２】図１に示された電池モジュールにおけるカバーを除いた部分の平面図である。
【図３】図１に示された電池ユニット及びカバーを示す側面図である。
【図４】本実施形態に係るカバーユニットを示す斜視図である。
【図５】図４に示されたカバーユニットの分解斜視図である。
【図６】カバーユニットにおけるハーネス保持部及び接続端子の拡大断面図である。
【図７】カバーユニットにおけるバスバー保持部及びバスバーの拡大断面図である。
【図８】本実施形態に係る電池モジュールの製造方法の手順を示す工程図である。
【図９】本実施形態に係る電池モジュールの製造方法の各工程を示す断面図である。
【図１０】本実施形態に係る電池モジュールの製造方法の各工程を示す断面図である。
【図１１】本実施形態に係る電池モジュールの製造方法の各工程を示す断面図である。
【発明を実施するための形態】
【００２５】
以下、添付図面を参照しながら本発明の実施形態を詳細に説明する。図面の説明において、同一又は同等の要素には同一符号を用い、重複する説明を省略する場合がある。
【００２６】
図１は、実施形態に係る電池モジュールを示す斜視図である。図２は、図１に示された電池モジュールにおけるカバーを除いた部分の平面図である。図３は、図１に示された電池ユニット及びカバーを示す側面図である。図１〜図３に示されるように、電池モジュール１は、配列体２と、拘束部材３と、弾性部材４と、を備えている。配列体２は、第１方向Ｄ１に沿って配列された複数（ここでは、７個）の電池セル１１を含む。
【００２７】
電池セル１１は、例えばリチウムイオン二次電池等の非水電解質二次電池である。複数の電池セル１１は、それぞれ、略直方体形状をなす中空のケース１２と、ケース１２内に収容された電極組立体（不図示）と、を含む。
【００２８】
電池セル１１は、第１方向Ｄ１と交差する第２方向Ｄ２にケース１２の頂面１２ａ（第１面）から突出した電極端子１３Ａ及び電極端子１３Ｂを有している。電池セル１１において、電極端子１３Ａは、第１方向Ｄ１及び第２方向Ｄ２と交差する第３方向Ｄ３の一方側に設けられている。また、電池セル１１において、電極端子１３Ｂは、第３方向Ｄ３の他方側に電極端子１３Ａと離間して設けられている。
【００２９】
電極端子１３Ａは、電極組立体の正極に接続された正極端子であり、電極端子１３Ｂは、電極組立体の負極に接続された負極端子である。配列体２において、複数の電池セル１１は、第１方向Ｄ１に沿って電極端子１３Ａと電極端子１３Ｂとが互いに隣り合うように配列されている。
【００３０】
互いに隣り合う２つの電池セル１１の間には、電池セル１１を被固定部材（例えば外部筐体等）に熱的に接続するための伝熱プレート（不図示）が介在されている。また、電池セル１１には、それぞれ、セルホルダ２１が取り付けられている。セルホルダ２１は、例えば樹脂によって一体成型されている。セルホルダ２１は、ケース１２の側面のうち、電池セル１１の配列方向（第１方向Ｄ１）の側面を除いた各側面に沿うように、ケース１２に嵌め合されている。
【００３１】
拘束部材３は、配列体２に対して第１方向Ｄ１に沿って拘束荷重を付加することにより、複数の電池セル１１を一体化する。拘束部材３は、例えば一対のブラケット３１と、一対のブラケット３１同士を締結する締結部材３２とを備えている。ブラケット３１は、例えば鉄等の金属によって形成され、第１方向Ｄ１から見た場合の配列体２の面積よりも大きい面積を有する略矩形の板状をなしている。ブラケット３１は、その外縁部分が電池セル１１の外縁部分よりも外側に張り出した状態で、配列体２及び弾性部材４の配列方向（第１方向Ｄ１）の両端にそれぞれ配置されている。
【００３２】
締結部材３２は、例えば長尺のボルト３４と、ボルトに螺合されるナット３５とを含む。ボルト３４は、例えばブラケット３１の外縁部分においてブラケット３１に挿通されている。各ボルト３４の端部にブラケット３１の外側からナット３５が螺合されることで、電池セル１１、弾性部材４、及び伝熱プレートが挟持されて一体化されると共に拘束荷重が付加される。
【００３３】
弾性部材４は、拘束荷重による電池セル１１の破損の防止に加え、拘束部品の破損を防ぐ目的で用いられる部材である。弾性部材４は、例えばウレタン製のゴムスポンジによって矩形の板状に形成されている。弾性部材４は、配列体２と拘束部材３との間に介在されている。弾性部材４は、第１方向Ｄ１における配列体２の一端に配置されている。弾性部材４の形成材料としては、例えばエチレンプロピレンジエンゴム（ＥＰＤＭ）、クロロプレンゴム、及びシリコンゴム等が挙げられる。また、弾性部材４は、ゴムに限られず、バネ材等であってもよい。
【００３４】
ここで、電池モジュール１は、複数（ここでは、６個）のバスバー５と、ハーネス６と、複数（ここでは、２個）のサーミスタ７（温度センサ）と、カバー８と、押圧部９と、を更に備えている。図２に示されるように、バスバー５、ハーネス６、サーミスタ７、及びカバー８は、複数のケース１２（電池セル１１）の頂面１２ａ上に配置されている。各部材の概要について説明する。
【００３５】
複数のバスバー５のそれぞれは、銅等の金属により形成されている。バスバー５は、矩形板状を呈している。バスバー５は、互いに隣り合う２つの電池セル１１おいて、電極端子１３Ａと電極端子１３Ｂとを接続する。また、バスバー５は、１つの電池セル１１の電極端子１３Ａと当該電池セル１１の一方側において隣り合う別の電池セル１１の電極端子１３Ｂとを接続し、当該別の電池セル１１の電極端子１３Ａと当該別の電池セル１１の一方側において隣り合う更に別の電池セル１１の電極端子１３Ｂとを接続する。これにより、バスバー５は、複数の電池セル１１を直列に接続している。
【００３６】
ハーネス６は、一例として、電池セル１１の電圧を監視するために用いられる。ハーネス６は、複数（ここでは、８個）の接続端子６１（第１接続端子、第２接続端子）を有する。また、ハーネス６は、複数の接続端子６１のそれぞれから延びる複数の配線部６２を有する。複数の配線部６２は、その先端側において接続端子６１に接続され、頂面１２ａ上において電極端子１３Ａ及び電極端子１３Ｂよりも第３方向Ｄ３の外側に配線されている。また、複数の配線部６２は、その基端側において互いに結束され、コネクタ８３を介して電池モジュール１の外側に配置された制御装置（不図示）に接続されている。
【００３７】
接続端子６１は、例えば、銅又はニッケル等の金属によって形成されている。電池セル１１の電圧を監視するためには、１つの電池セル１１につき電極端子１３Ａ及び電極端子１３Ｂの両方の電圧が取得される必要がある。１つのバスバー５に接続された電極端子１３Ａ及び電極端子１３Ｂについては、いずれか一方の電圧が取得されればよい。したがって、接続端子６１は、バスバー５によって接続された電極端子１３Ａ及び電極端子１３Ｂのうちの一方に接続されると共に、バスバー５が接続されていない電極端子１３Ａ及び電極端子１３Ｂに接続されている。図２に示される例では、接続端子６１は、第３方向Ｄ３における配列体２の一方側において、４つの電極端子１３Ａのそれぞれに接続されている。また、接続端子６１は、第３方向Ｄ３における配列体２の他方側において、３つの電極端子１３Ａ及び１つの電極端子１３Ｂのそれぞれに接続されている。したがって、ここでは、７つの接続端子６１が正極に接続され、１つの接続端子６１が負極に接続されている。
【００３８】
接続端子６１は、ナットＮ（第１締結具、第２締結具）によりバスバー５と共に電極端子１３Ａ又は電極端子１３Ｂに固定（締結）されている。これにより、接続端子６１は、電極端子１３Ａ又は電極端子１３Ｂに接続されている。なお、バスバー５とケース１２の頂面１２ａとの間には絶縁部材Ｉが介在されており、互いの電気的な絶縁が確保されている。
【００３９】
サーミスタ７は、電池セル１１の温度を監視するために用いられる。図２に示される例では、サーミスタ７は、一方のブラケット３１から数えて３個目の電池セル１１と、一方のブラケット３１から数えて５個目の電池セル１１と、に設けられている。サーミスタ７は、ハーネス６に接続されている。
【００４０】
カバー８は、図１に示されるように、配列体２に設けられる。カバー８は、例えばボルト等の部品が落下してバスバー５に接触することによるバスバー５同士の短絡を防止するために設けられる。カバー８には、例えば、電池セル１１の充放電に寄与する電子部品、及び電池モジュール１の制御を行う電池ＥＣＵ（Electronic  Control  Unit）を含む制御装置（不図示）が載置される。カバー８は、例えば難燃性の高いナイロン等の合成樹脂材料によって形成されている。
【００４１】
カバー８は、複数のケース１２（電池セル１１）の頂面１２ａに対向するように設けられ、頂面１２ａを覆っている。カバー８は、頂面１２ａを覆うための被覆面８４ｓ（第２面）を含む本体部８４を有する。本体部８４は、第２方向Ｄ２から見て配列体２よりも大きい矩形状を呈している。本体部８４には、被覆面８４ｓによって頂面１２ａを覆う状態において、第２方向Ｄ２から見て複数の電極端子１３Ａ及び複数の電極端子１３Ｂのそれぞれと重複する位置に複数の挿通孔８５が設けられている。カバー８は、第１カバー８１と、第２カバー８２と、を含む。第１カバー８１及び第２カバー８２は、第１方向Ｄ１に沿って配列されている。第１カバー８１は、隣り合う複数（ここでは、３個）の電池セル１１を覆うように頂面１２ａに対向して配置されている。第２カバー８２は、隣り合う複数（ここでは、４個）の電池セル１１を覆うように頂面１２ａに対向して配置されている。
【００４２】
挿通孔８５は、電極端子１３Ａ又は電極端子１３Ｂに接続端子６１を締結するためのナットＮを挿通可能に形成されている。挿通孔８５は、挿通方向（第２方向Ｄ２）から見て円形状を呈している。挿通孔８５は、例えばナットランナー等の締結器具を挿通可能な大きさに形成されている。
【００４３】
押圧部９は、サーミスタ７を電池セル１１に押し付けるために用いられる。押圧部９は、第１カバー８１及び第２カバー８２のそれぞれに設けられている。図３に示されるように、押圧部９は、突起９１と、バネ９２と、サーミスタ収容部９３と、を含む。突起９１は、一例として、被覆面８４ｓから突出するように円柱状に形成されている。突起９１は、本体部８４と一体的に形成されている。突起９１は、バネ９２の位置を規定すると共に、バネ９２の外れを抑制する。サーミスタ収容部９３は、バネ９２の先端に設けられている。サーミスタ収容部９３は、例えば、Ｕ字溝形状を呈している。サーミスタ収容部９３には、サーミスタ７が収容される。これらにより、押圧部９は、サーミスタ７に対して被覆面８４ｓから離れる向きの押圧力を付与する。
【００４４】
以上のような電池モジュール１は、前述した複数のバスバー５と、ハーネス６と、複数のサーミスタ７と、カバー８と、押圧部９と、を備えるカバーユニット１０を用いて作製される。図４は、本実施形態に係るカバーユニット１０を示す斜視図である。図５は、図４に示されたカバーユニットの分解斜視図である。
【００４５】
図４及び図５に示されるように、カバーユニット１０は、カバー８と、複数のバスバー５と、ハーネス６と、複数のサーミスタ７と、を一体的に組み付けた部材である。各部材の詳細について説明する。
【００４６】
バスバー５は、カバーユニット１０において、カバー８に保持されている。バスバー５は、平板部５１と、一対の平板部５２と、一対の傾斜部５３と、を有している。平板部５１は、バスバー５における長手方向の略中央において、バスバー５の短手方向の両縁に亘って延びている。一対の平板部５２のそれぞれは、バスバー５において長手方向の両縁に設けられ、平板部５１よりも被覆面８４ｓから離れた位置で平板部５１と平行な向きに延びている。一対の平板部５２のうちの一方は、電極端子１３Ａに接続される。また、一対の平板部５２のうちの他方は、電極端子１３Ｂに接続される。一対の平板部５２のそれぞれには、平板部５２の板厚方向（第２方向Ｄ２）に貫通すると共に電極端子１３Ａ又は電極端子１３Ｂが挿通可能な貫通孔５４が形成されている。一対の傾斜部５３のそれぞれは、平板部５１及び平板部５２を接続している。
【００４７】
接続端子６１は、カバーユニット１０において、カバー８に保持されている。接続端子６１は、板状の丸端子である。接続端子６１は、環状部６３と、環状部６３の一端から延びる矩形部６４と、を含む。環状部６３は、電極端子１３Ａ又は電極端子１３Ｂに接続される。環状部６３には、接続端子６１の板厚方向（第２方向Ｄ２）に貫通すると共に電極端子１３Ａ又は電極端子１３Ｂが挿通可能な貫通孔６５が形成されている。矩形部６４は、配線部６２に接続されている。
【００４８】
カバー８（第１カバー８１及び第２カバー８２）の本体部８４は、底板８４ａと、一対の側壁８４ｂと、立設部８４ｃ，８４ｄ，８４ｅ，８４ｆ，８４ｇ，８４ｈと、を有している。底板８４ａは、矩形板状の部材であり、一方面において前述した被覆面８４ｓを構成している。一対の側壁８４ｂのそれぞれは、底板８４ａに設けられ、矩形板状を呈している。一対の側壁８４ｂは、底板８４ａの短手方向（第３方向Ｄ３）の両端から底板８４ａの被覆面８４ｓと反対の面に立設されている。一対の側壁８４ｂは、第３方向Ｄ３に互いに対向している。電池モジュール１において、側壁８４ｂは、セルホルダ２１に嵌め合わされる（図１参照）。
【００４９】
立設部８４ｃ，８４ｄ，８４ｅ，８４ｆ，８４ｇ，８４ｈは、本体部８４における被覆面８４ｓに設けられている。立設部８４ｃ，８４ｄ，８４ｅ，８４ｆ，８４ｇ，８４ｈのそれぞれは、底板８４ａの長手方向（第１方向Ｄ１）の両縁に亘って延びている。立設部８４ｃ，８４ｄは、底板８４ａの中央部に設けられ、互いに対向している。立設部８４ｃ，８４ｄの間の領域は、被覆面８４ｓによって頂面１２ａを覆う状態において電池セル１１の開放弁Ｇを覆う位置に形成されている。したがって、立設部８４ｃ，８４ｄの間の領域は、開放弁Ｇから排出したガスの流路を構成する。また、立設部８４ｃには、サーミスタ７及び押圧部９を配置するための切欠８４ｊが形成されている。カバーユニット１０において、サーミスタ７は、カバー８に設けられた押圧部９に保持されている。
【００５０】
立設部８４ｅ，８４ｆは、底板８４ａの一方の端部に設けられ、第３方向Ｄ３に互いに対向している。立設部８４ｇ，８４ｈは、底板８４ａの他方の端部に設けられ、第３方向Ｄ３に互いに対向している。立設部８４ｅ，８４ｆによってハーネス６の配線部６２の一部を配線するための領域が構成される。立設部８４ｇ，８４ｈによってハーネス６の配線部６２の残部を配線するための領域が構成される。立設部８４ｅ，８４ｆ，８４ｇ，８４ｈのうち、中央部寄りに設けられた立設部８４ｆ，８４ｇには、配線部６２が接続端子６１に接続される位置において、接続端子６１を配置するための切欠８４ｋが形成されている。
【００５１】
カバー８は、複数のハーネス保持部８６（第１保持部、第２保持部）と、複数のバスバー保持部８８（第３保持部）と、を更に有する。ハーネス保持部８６は、接続端子６１を保持する。バスバー保持部８８は、バスバー５を保持する。
【００５２】
まず、図６を併せて参照し、ハーネス保持部８６について説明する。図６は、カバーユニットにおけるハーネス保持部及び接続端子の拡大断面図である。ハーネス保持部８６は、本体部８４の被覆面８４ｓ上に設けられ、挿通孔８５と立設部８４ｆの切欠８４ｋとの間、又は、立設部８４ｇの切欠８４ｋとの間に位置している。ハーネス保持部８６は、被覆面８４ｓによって頂面１２ａを覆う状態において、電極端子１３Ａ又は電極端子１３Ｂに対応する位置に接続端子６１を保持する。ハーネス保持部８６は、電池モジュール１において、第２方向Ｄ２から見て接続端子６１に重複する位置に設けられる。すなわち、カバーユニット１０が配列体２に組み付けられることにより、ハーネス保持部８６は、第２方向Ｄ２から見て接続端子６１に重複する位置に配置される。また、ナットＮにより接続端子６１が電極端子１３Ａ又は電極端子１３Ｂに固定された状態において、ハーネス保持部８６は、接続端子６１から離間している。
【００５３】
図６に示されるように、ハーネス保持部８６は、一対の延設部８６ａ（第１延設部）と、一対の係止片８６ｂ（第１係止片）と、支持部８６ｃと、を含む。一対の延設部８６ａは、接続端子６１の矩形部６４を挟んで互いに対向するように、被覆面８４ｓから第２方向Ｄ２に延びている。図６に示される例では、一対の延設部８６ａは、第１方向Ｄ１に互いに対向している。
【００５４】
一対の係止片８６ｂのそれぞれは、一対の延設部８６ａのそれぞれの先端側に設けられている。一対の係止片８６ｂは、互いに近付く向きに突出した爪形状に形成されている。一対の係止片８６ｂは、この爪形状によってスナップフィットを構成している。具体的には、一対の係止片８６ｂのそれぞれは、傾斜面８７ａと傾斜面８７ｂとを含む。傾斜面８７ａは、係止片８６ｂの基端から中間部に進むにつれ互いに近付くように傾斜している。傾斜面８７ｂは、係止片８６ｂの中間部から先端に進むにつれ互いに離れるように傾斜している。一対の係止片８６ｂは、一対の延設部８６ａに挟まれた接続端子６１を第２方向Ｄ２に係止する。すなわち、接続端子６１は、一対の係止片８６ｂに引っかけられることにより、第２方向Ｄ２への移動を規制される。
【００５５】
支持部８６ｃは、接続端子６１の矩形部６４を支持している。支持部８６ｃは、一対の延設部８６ａの間に配置されている。支持部８６ｃは、ブロック状に形成されている。支持部８６ｃは、板状の接続端子６１の矩形部６４を載置する載置面８６ｓを有している。載置面８６ｓは、被覆面８４ｓと平行に形成されている。支持部８６ｃは、接続端子６１を被覆面８４ｓと平行な向きに支持している。具体的には、貫通孔６５の貫通方向と被覆面８４ｓに直交する方向（被覆面８４ｓによって頂面１２ａを覆う状態における電極端子１３Ａ及び電極端子１３Ｂの突出方向）とが一致するように、支持部８６ｃが接続端子６１を支持している。したがって、接続端子６１は、被覆面８４ｓによって頂面１２ａを覆う状態において、電極端子１３Ａ又は電極端子１３Ｂに接続される姿勢に支持される。
【００５６】
次に、図５及び図７を参照し、バスバー保持部８８について説明する。図７は、カバーユニットにおけるバスバー保持部及びバスバーの拡大断面図である。バスバー保持部８８は、本体部８４の被覆面８４ｓ上に設けられ、互いに隣り合う挿通孔８５同士の間に位置している。また、バスバー保持部８８は、被覆面８４ｓによって頂面１２ａを覆う状態において、電極端子１３Ａ及び電極端子１３Ｂに対応する位置にバスバー５を保持する。バスバー保持部８８は、電池モジュール１において、第２方向Ｄ２から見てバスバー５に重複する位置に設けられる。すなわち、カバーユニット１０が配列体２に組み付けられることにより、バスバー保持部８８は、第２方向Ｄ２から見て接続端子６１に重複する位置に配置される。また、ナットＮによりバスバー５が電極端子１３Ａ又は電極端子１３Ｂに固定された状態において、バスバー保持部８８は、バスバー５から離間している。
【００５７】
図７に示されるように、バスバー保持部８８は、一対の延設部８８ａ（第２延設部）と、一対の係止片８８ｂ（第２係止片）と、を含む。一対の延設部８８ａは、バスバー５の平板部５１を挟んで互いに対向するように、被覆面８４ｓから第２方向Ｄ２に延びている。図７に示される例では、一対の延設部８８ａは、第３方向Ｄ３に互いに対向している。
【００５８】
一対の係止片８８ｂのそれぞれは、一対の延設部８８ａのそれぞれの先端側に設けられている。一対の係止片８８ｂは、互いに近付く向きに突出した爪形状に形成されている。一対の係止片８８ｂは、この爪形状によってスナップフィットを構成している。具体的には、一対の係止片８８ｂのそれぞれは、傾斜面８７ｃと傾斜面８７ｄとを含む。傾斜面８７ｃは、係止片８８ｂの基端から中間部に進むにつれ互いに近付くように傾斜している。傾斜面８７ｄは、係止片８８ｂの中間部から先端に進むにつれ互いに離れるように傾斜している。一対の係止片８８ｂは、一対の延設部８８ａに挟まれた平板部５１を第２方向Ｄ２に係止する。すなわち、バスバー５は、平板部５１において一対の係止片８８ｂに引っかけられることにより、第２方向Ｄ２への移動を規制される。
【００５９】
続いて、電池モジュール１の製造方法について説明する。図８は、本実施形態に係る電池モジュールの製造方法の手順を示す工程図である。図９〜図１１は、本実施形態に係る電池モジュールの製造方法の各工程を示す断面図である。図８に示されるように、電池モジュール１の製造方法は、準備工程Ｓ１０１と、組付け工程Ｓ１０２と、締結工程Ｓ１０３と、を備える。なお、図９〜図１１において、互いに隣り合う電池セル１１同士の間に介在する各部材については便宜のため図示を省略し、隣り合う電池セル１１間にスペースを設けている。
【００６０】
（準備工程Ｓ１０１）
図９に示されるように、準備工程Ｓ１０１では、ハーネス６、バスバー５、及びサーミスタ７をカバー８に一体的に組み付けたカバーユニット１０を準備する。まず、ハーネス保持部８６が接続端子６１を保持するように、カバー８にハーネス６を一体的に組み付ける。
【００６１】
具体的には、一対の延設部８６ａの間に挟むように、接続端子６１を被覆面８４ｓに向けて押し込む。接続端子６１が一対の係止片８６ｂの傾斜面８７ｂ（図６参照）に沿って押し当てられ、一対の係止片８６ｂに第２方向Ｄ２に押圧力がかかるので、一対の係止片８６ｂが互いに離れる向きに変形する。これにより、接続端子６１を延設部８６ａの被覆面８４ｓ側に押し込む。接続端子６１が一対の係止片８６ｂの基端まで押し込まれると、一対の係止片８６ｂに対する第２方向Ｄ２における押圧力が解除されるので、一対の係止片８６ｂが互いに近付く向きに変形する（元の状態に戻る）。このように、接続端子６１は、一対の係止片８６ｂに構成されるスナップフィットによって係止される。
【００６２】
このとき、接続端子６１の矩形部６４を支持部８６ｃの載置面８６ｓ上に載置する。これにより、接続端子６１を被覆面８４ｓと平行な向きに支持する。具体的には、貫通孔６５の貫通方向と被覆面８４ｓに直交する方向（被覆面８４ｓによって頂面１２ａを覆う状態における電極端子１３Ａ及び電極端子１３Ｂの突出方向）とが一致する。すなわち、被覆面８４ｓによって頂面１２ａを覆う状態において、各接続端子６１が当該接続端子６１に対応する電極端子１３Ａ又は電極端子１３Ｂに接続される姿勢で各接続端子６１をカバー８に組み付ける。本明細書において、被覆面８４ｓによって頂面１２ａを覆う状態とは、後述する組付け工程Ｓ１０２が行われた後であり締結工程Ｓ１０３が行われる前の状態を示す。また、サーミスタ７をサーミスタ収容部９３に収容する。
【００６３】
次に、バスバー保持部８８がバスバー５を保持するように、ハーネス６及びサーミスタ７が組み付けられたカバー８にバスバー５を更に一体的に組み付ける。ハーネス６の接続端子６１と同様に、一対の延設部８８ａの間に挟むように、バスバー５を被覆面８４ｓに向けて押し込む。バスバー５が一対の係止片８８ｂの傾斜面８７ｄ（図７参照）に沿って押し当てられ、一対の係止片８８ｂに第２方向Ｄ２に押圧力がかかるので、一対の係止片８８ｂが互いに離れる向きに変形する。これにより、バスバー５を被覆面８４ｓまで押し込む。バスバー５が一対の係止片８８ｂの基端まで押し込まれると、一対の係止片８８ｂに対する第２方向Ｄ２における押圧力が解除されるので、一対の係止片８８ｂが互いに近付く向きに変形する（元の状態に戻る）。このように、バスバー５は、一対の係止片８８ｂに構成されるスナップフィットによって係止される。
【００６４】
このとき、バスバー５の平板部５１を被覆面８４ｓ上に載置する。これにより、バスバー５の平板部５２を被覆面８４ｓと平行な向きに支持する。具体的には、貫通孔５４の貫通方向と被覆面８４ｓに直交する方向（被覆面８４ｓによって頂面１２ａを覆う状態における電極端子１３Ａ及び電極端子１３Ｂの突出方向）とが一致する。すなわち、被覆面８４ｓによって頂面１２ａを覆う状態において、第１方向Ｄ１に互いに隣り合う電極端子１３Ａ及び電極端子１３Ｂに接続される姿勢でバスバー５をカバー８に組み付ける。
【００６５】
（組付け工程Ｓ１０２）
続いて、図１０に示されるように、組付け工程Ｓ１０２では、配列体２にカバーユニット１０を組み付ける。具体的には、カバーユニット１０を、被覆面８４ｓによって頂面１２ａを覆うように、配列体２に載置する。このとき、カバーユニット１０の側壁８４ｂをセルホルダ２１に嵌め合わせるように位置決めして配置する。これにより、接続端子６１の貫通孔６５とそれぞれ対応する電極端子１３Ａ及び電極端子１３Ｂとが第２方向Ｄ２に一致する。したがって、各接続端子６１にそれぞれ接続される電極端子１３Ａ及び電極端子１３Ｂと各接続端子６１とが互いに位置決めされる。また、バスバー５の２つの貫通孔５４とそれぞれ対応する電極端子１３Ａ及び電極端子１３Ｂとが第２方向Ｄ２に一致すると共に、当該電極端子１３Ａ及び当該電極端子１３Ｂが、当該２つの貫通孔５４に挿通される。したがって、バスバー５にそれぞれ接続される電極端子１３Ａ及び電極端子１３Ｂとバスバー５とが互いに位置決めされる。
【００６６】
（締結工程Ｓ１０３）
続いて、図１１に示されるように、締結工程Ｓ１０３では、例えばナットランナー等の締結器具を用いて、ナットＮをカバー８の挿通孔８５から挿通させる。このとき、ナットランナーによって、ナットＮを介して接続端子６１及びバスバー５を配列体２側に押し込む。接続端子６１が一対の係止片８６ｂの傾斜面８７ａ（図６参照）に沿って押し当てられ、一対の係止片８６ｂに第２方向Ｄ２に押圧力がかかるので、一対の係止片８６ｂが互いに離れる向きに変形する。同様に、バスバー５が一対の係止片８８ｂの傾斜面８７ｃ（図７参照）に沿って押し当てられ、一対の係止片８８ｂに第２方向Ｄ２に押圧力がかかるので、一対の係止片８８ｂが互いに離れる向きに変形する。これにより、一対の係止片８６ｂによる接続端子６１の係止が解除されると共に、一対の係止片８８ｂによるバスバー５の係止が解除される。したがって、接続端子６１及びバスバー５がカバー８から分離する。そして、接続端子６１の貫通孔６５に電極端子１３Ａ又は電極端子１３Ｂを挿通させる。
【００６７】
その後、電極端子１３Ａ又は電極端子１３ＢにナットＮを螺合することによって、電極端子１３Ａ及び電極端子１３Ｂに接続端子６１及びバスバー５を締結する。このとき、１つのバスバー５の２つの貫通孔５４のそれぞれに挿通された電極端子１３Ａ及び電極端子１３Ｂのそれぞれに対して並行して、バスバー５及び接続端子６１を締結する。なお、すべての電極端子１３Ａ及び電極端子１３Ｂに対して並行して、それぞれの電極端子１３Ａ及び電極端子１３Ｂに対応するバスバー５及び接続端子６１を締結してもよい。
【００６８】
以上により、電池モジュール１の製造が完了する。電池モジュール１においては、ハーネス保持部８６は、接続端子６１から離間すると共に、第２方向Ｄ２から見て電極端子１３Ａ又は電極端子１３Ｂに重複する位置に設けられている。また、電池モジュール１においては、バスバー保持部８８は、接続端子６１から離間すると共に、第２方向Ｄ２から見てバスバー５に重複する位置に設けられている。
【００６９】
以上、説明したカバーユニット１０の作用効果について説明する。このカバーユニット１０において、ハーネス６の接続端子６１は、カバー８に設けられたハーネス保持部８６に保持されている。これにより、カバー８に対する接続端子６１の相対的な位置が規定される。
【００７０】
具体的には、各接続端子６１は、カバー８の被覆面８４ｓによってケース１２（電池セル１１）の頂面１２ａを覆う状態（すなわち、組付け工程Ｓ１０２が行われた後であり締結工程Ｓ１０３が行われる前の状態）において、複数の電極端子１３Ａ及び複数の電極端子１３Ｂのうち、当該接続端子６１が接続される電極端子１３Ａ又は電極端子１３Ｂに対応する位置に保持されている。これにより、配列体２にカバーユニット１０を組み付けるだけの簡易な動作によって、接続端子６１と電極端子１３Ａとの位置決め、接続端子６１と電極端子１３Ｂとの位置決めを行うことができる。したがって、電池モジュール１の組付け性を向上させることができる。
【００７１】
また、このカバーユニット１０において、バスバー５は、カバー８に設けられたバスバー保持部８８に保持されている。これにより、カバー８に対するバスバー５の相対的な位置が規定される。具体的には、各バスバー５は、カバー８の被覆面８４ｓによってケース１２の頂面１２ａを覆う状態において、複数の電極端子１３Ａ及び複数の電極端子１３Ｂのうち、当該バスバー５が接続される電極端子１３Ａ及び当該電極端子１３Ａの隣に位置する電極端子１３Ｂに対応する位置に保持されている。これにより、配列体２にカバーユニット１０を組み付ける動作によって、バスバー５と電極端子１３Ａ及び電極端子１３Ｂとの位置決めを行うことができる。したがって、電池モジュール１の組付け性を一層向上させることができる。
【００７２】
ここで、電池セル１１は、電池セル１１の使用期間が長くなるにつれて膨張する場合がある。電池セル１１が膨張すると、弾性部材４の変形により第１方向Ｄ１における電池セル１１同士の相対的な位置が変わることが考えられる。このような場合、カバー８によって位置決めされたバスバー５及び接続端子６１がカバー８に装着されたまま電極端子１３Ａ及び電極端子１３Ｂにそれぞれ接続されると、バスバー５及び接続端子６１がカバー８に拘束されて電池セル１１の変形に追従できないおそれがある。
【００７３】
これに対し、カバーユニット１０のハーネス保持部８６は、接続端子６１を挟んで互いに対向するように被覆面８４ｓから第２方向Ｄ２に延びる一対の延設部８６ａと、一対の延設部８６ａのそれぞれに設けられ一対の延設部８６ａに挟まれた接続端子６１を第２方向Ｄ２に係止する一対の係止片８６ｂと、を含んでいる。被覆面８４ｓから第２方向Ｄ２に延びる一対の延設部８６ａは、被覆面８４ｓと反対側の端部において自由端となっているので、変形しやすい。また、接続端子６１を第２方向Ｄ２に係止する一対の係止片８６ｂのそれぞれは、この一対の延設部８６ａに設けられている。そのため、例えばナットランナーによって接続端子６１を配列体２に向かって押す等によって、一対の係止片８６ｂに対して第２方向Ｄ２に力が加わることにより、一対の延設部８６ａが互いに離れる方向に変形する。
【００７４】
また、カバーユニット１０のバスバー保持部８８は、バスバー５を挟んで互いに対向するように被覆面８４ｓから第２方向Ｄ２に延びる一対の延設部８８ａと、一対の延設部８８ａのそれぞれに設けられ一対の延設部８８ａに挟まれたバスバー５を第２方向Ｄ２に係止する一対の係止片８８ｂと、を含んでいる。これにより、ハーネス保持部８６と同様に、例えば、係止片８８ｂに対して第２方向Ｄ２に力が加わることによって、一対の延設部８８ａが互いに離れる方向に変形する。
【００７５】
延設部８６ａの変形により、一対の係止片８６ｂによる接続端子６１の係止が解除され、接続端子６１をカバー８から分離することができる。同様に、延設部８８ａの変形により、一対の係止片８８ｂによるバスバー５の係止が解除され、バスバー５をカバー８から分離することができる。したがって、カバーユニット１０を配列体２に組み付けた後、接続端子６１及びバスバー５をカバー８から分離させて電池セル１１の電極端子１３Ａ及び電極端子１３Ｂに固定することができる。これにより、接続端子６１及びバスバー５の位置がカバー８に拘束されなくなるので、接続端子６１及びバスバー５は電池セル１１の膨張に追従することができる。
【００７６】
また、各接続端子６１は、ハーネス保持部８６の支持部８６ｃにより、カバー８の被覆面８４ｓによってケース１２の頂面１２ａを覆う状態において電極端子１３Ａ及び電極端子１３Ｂに接続される姿勢に保持される。したがって、配列体２にカバーユニット１０を組み付ける動作によって、接続端子６１が電極端子１３Ａ及び電極端子１３Ｂに接続される姿勢に保持された状態で、各接続端子６１と、当該接続端子６１に接続される電極端子１３Ａ又は電極端子１３Ｂとの位置決めをすることができる。よって、電池モジュール１の組付け性を一層向上させることができる。
【００７７】
また、カバー８には、被覆面８４ｓによって頂面１２ａを覆う状態において、第２方向Ｄ２から見て電極端子１３Ａ及び電極端子１３Ｂのそれぞれと重複する位置に挿通孔８５が設けられており、挿通孔８５は、ナットＮを挿通可能に形成されている。したがって、配列体２にカバーユニット１０を組み付けた状態で、挿通孔８５からナットＮを挿通させて、それぞれの電極端子１３Ａ及び電極端子１３Ｂに対応するバスバー５及び接続端子６１を締結することができる。
【００７８】
また、カバーユニット１０は、サーミスタ７と、押圧部９と、を更に備えている。したがって、配列体２にカバーユニット１０を組み付ける動作によって、サーミスタ７を電池セル１１に取り付けることができる。そして、カバー８の被覆面８４ｓ上にサーミスタ７を保持する押圧部９が、サーミスタ７に対して被覆面８４ｓから離れる向きの押圧力を付与する。そのため、カバー８の被覆面８４ｓによってケース１２の頂面１２ａを覆う状態において、サーミスタ７を電池セル１１に押し付けることができる。これにより、サーミスタ７によって電池セル１１の温度を測定することが可能である。
【００７９】
続いて、電池モジュール１の作用効果について説明する。この電池モジュール１によれば、カバー８が接続端子６１を保持するためのハーネス保持部８６を有するので、電池モジュール１の製造において、カバー８に対するハーネス６の各接続端子６１の相対的な位置が規定され得る。また、第２方向Ｄ２から見て接続端子６１に重複する位置にハーネス保持部８６が設けられている。これにより、接続端子６１を保持した状態のカバー８を配列体２に組み付けるだけの簡易な動作によって、接続端子６１と電極端子１３Ａ又は電極端子１３Ｂとの位置決めを行うことができる。したがって、電池モジュール１の組付け性を向上させることができる。
【００８０】
また、電池モジュール１において、ハーネス保持部８６は、接続端子６１から離間している。よって、接続端子６１が電極端子１３Ａ又は電極端子１３Ｂに接続された電池モジュール１においては、ハーネス保持部８６は、接続端子６１の位置を規定していない。これにより、接続端子６１の位置がカバー８に拘束されなくなるので、接続端子６１は電池セル１１の膨張に追従することができる。
【００８１】
続いて、電池モジュール１の製造方法の作用効果について説明する。この電池モジュール１の製造方法においては、準備工程Ｓ１０１において、カバー８とハーネス６とが一体的に組み付けられるので、カバー８に対するハーネス６の接続端子６１の相対的な位置が規定される。具体的には、各接続端子６１を、複数の電極端子１３Ａ及び複数の電極端子１３Ｂのうち、当該接続端子６１が接続される電極端子１３Ａ又は電極端子１３Ｂに対応する位置に保持するためのハーネス保持部８６が接続端子６１を保持するように、カバー８とハーネス６とが一体的に組み付けられる。これにより、組付け工程Ｓ１０２において、カバーユニット１０を配列体２に組み付けるだけの簡易な動作によって、接続端子６１と電極端子１３Ａとの位置決め、及び接続端子６１と電極端子１３Ｂとの位置決めを行うことができる。そして、締結工程Ｓ１０３において、位置決めされた状態の接続端子６１及び電極端子１３Ａを締結することができると共に、位置決めされた状態の接続端子６１及び電極端子１３Ｂを締結することができる。したがって、電池モジュール１の組付け性を向上させることができる。
【００８２】
また、準備工程Ｓ１０１において、カバー８とバスバー５とが一体的に組み付けられるので、カバー８に対するバスバー５の相対的な位置が規定される。具体的には、各バスバー５を、複数の電極端子１３Ａ及び複数の電極端子１３Ｂのうち、当該バスバー５が接続される電極端子１３Ａ及び電極端子１３Ｂに対応する位置に保持するためのバスバー保持部８８がバスバー５を保持するように、カバー８とバスバー５とが一体的に組み付けられる。これにより、配列体２にカバーユニット１０を組み付ける動作によって、バスバー５と電極端子１３Ａ及び電極端子１３Ｂとの位置決めを行うことができる。したがって、電池モジュール１の組付け性を一層向上させることができる。
【００８３】
また、締結工程Ｓ１０３では、接続端子６１がハーネス保持部８６から分離して電極端子１３Ａに締結される。そのため、カバーユニット１０を配列体２に組み付けた後、ハーネス６の接続端子６１がカバー８から分離して電池セル１１の電極端子１３Ａに締結される。これにより、接続端子６１の位置がカバー８に拘束されなくなるので、電極端子１３Ａは電池セル１１の膨張に追従することができる。
【００８４】
ところで、締結工程Ｓ１０３においてナットランナーによって押し込まれるまでは、バスバー５は、カバーユニット１０のバスバー保持部８８に保持された状態である。そのため、バスバー５と電極端子１３Ａ及び電極端子１３Ｂとは互いに離間している。バスバー５と電極端子１３Ａ及び電極端子１３Ｂとが互いに離間した状態から、例えば、電極端子１３Ａ及び電極端子１３Ｂの一方（例えば、電極端子１３Ａ）のみにバスバー５を締結した場合であっても、ナットランナーによって押し込まれるため、バスバー保持部８８によるバスバー５の保持が解除される。バスバー５がバスバー保持部８８に保持されていない状態において、バスバー５が電極端子１３Ａだけに締結されると、バスバー５は電極端子１３Ｂには締結されていないため、バスバー５の姿勢が傾く場合がある。そのような場合、バスバー５の姿勢の傾きに伴って貫通孔５４も傾くので、貫通孔５４に電極端子１３Ｂを貫通しにくくなるおそれがある。
【００８５】
また、バスバー５がバスバー保持部８８に保持されていない状態において、電極端子１３Ａ及び電極端子１３Ｂの一方（例えば、電極端子１３Ａ）のみに、ナットＮによってバスバー５を締結することにより、締結作業におけるナットＮの電極端子１３Ａ回りの回転にバスバー５が追従する場合がある。その場合、バスバー５の回転に伴ってバスバーの貫通孔５４の位置が電極端子１３Ｂの位置に対してずれてしまうので、貫通孔５４に電極端子１３Ｂを貫通しにくくなるおそれがある。
【００８６】
これに対し、締結工程Ｓ１０３では、電極端子１３Ａ及び電極端子１３Ｂにバスバー５を並行して締結する。したがって、締結作業において、電極端子１３Ａ及び電極端子１３Ｂの一方ずつに順にバスバー５を締結する場合と比較して、バスバー５の姿勢が傾くことを抑制することができると共に、作業効率が向上する。
【００８７】
以上、本発明の実施形態について説明したが、本発明は上記実施形態に限定されない。例えば、ハーネス６の複数の接続端子６１のうちのすべてがカバー８に保持されていなくてもよい。複数の接続端子６１のうち、少なくとも２つの接続端子６１がカバー８に保持されていればよい。具体的には、複数の電極端子１３Ａ及び複数の電極端子１３Ｂのうちの１つの電極端子１３Ａ（第１電極端子）に接続される接続端子６１（第１接続端子）がカバー８に保持されると共に、複数の電極端子１３Ａ及び複数の電極端子１３Ｂのうちの当該１つの電極端子１３Ａ以外の電極端子１３Ａ及び電極端子１３Ｂのうちの１つ（第２電極端子）に接続される接続端子６１（第２接続端子）がカバー８に保持されていればよい。
【００８８】
この場合、カバー８は、少なくとも２つの接続端子６１をそれぞれ保持する２つのハーネス保持部８６を有していればよい。具体的には、カバー８は、２つの接続端子６１のうちの一方の接続端子６１（第１接続端子）を保持するハーネス保持部８６（第１保持部）と、２つの接続端子６１のうちの他方の接続端子６１（第２接続端子）を保持するハーネス保持部８６（第２保持部）と、を有していればよい。カバー８の本体部８４には、被覆面８４ｓによって頂面１２ａを覆う状態において、第２方向Ｄ２から見て複数の電極端子１３Ａ及び複数の電極端子１３Ｂのうちのすべてとそれぞれ重複する位置に複数の挿通孔８５が設けられていなくてもよい。カバー８の本体部８４には、被覆面８４ｓによって頂面１２ａを覆う状態において、第２方向Ｄ２から見て複数の電極端子１３Ａ及び複数の電極端子１３Ｂのうちの少なくとも２つ（第１電極端子、第２電極端子）と重複する位置にそれぞれ挿通孔８５（第１挿通孔、第２挿通孔）が設けられていればよい。
【００８９】
また、複数のバスバー５のうちのすべてがカバー８に保持されていなくてもよい。複数の電極端子１３Ａ及び複数の電極端子１３Ｂのうちの１つの電極端子１３Ａ（第１電極端子）と、当該１つの電極端子１３Ａに隣り合う電極端子１３Ｂ（第３電極端子）に接続されるバスバー５がカバー８に保持されていればよい。
【００９０】
また、ハーネス保持部８６の一対の延設部８６ａは、第３方向Ｄ３に互いに対向していてもよく、第１方向Ｄ１及び第３方向Ｄ３以外の方向において互いに対向していてもよい。また、バスバー保持部８８の一対の延設部８８ａは、第１方向Ｄ１に互いに対向していてもよく、第１方向Ｄ１及び第３方向Ｄ３以外の方向において互いに対向していてもよい。
【００９１】
また、カバー８は、第１カバー８１及び第２カバーに加えて、第１方向Ｄ１に沿って配列された第３カバーを含んでいてもよい。第１カバー８１及び第２カバー８２が一体的に形成されていてもよい。
【００９２】
また、挿通孔８５の挿通方向（第２方向Ｄ２）から見た形状は、円形状に限定されない。挿通孔８５の挿通方向から見た形状は、矩形状であってもよく、他の形状であってもよい。複数の挿通孔８５のうち、一部が挿通方向から見て円形状を呈し、残部が挿通方向から見て矩形状を呈していてもよい。
【００９３】
また、上記実施形態では、複数の配線部６２は、頂面１２ａ上において電極端子１３Ａ及び電極端子１３Ｂよりも第３方向Ｄ３の外側に配線されているが、配線部６２はこれに限定されない。複数の配線部６２は、頂面１２ａ上において電極端子１３Ａ及び電極端子１３Ｂよりも内側に配線されていてもよい。
【００９４】
また、締結工程Ｓ１０３では、複数の電極端子１３Ａ及び複数の電極端子１３Ｂに対して１つずつ順に、バスバー５、接続端子６１、又はバスバー５及び接続端子６１を締結してもよい。
【符号の説明】
【００９５】
１…電池モジュール、２…配列体、５…バスバー、６…ハーネス、７…サーミスタ（温度センサ）、８…カバー、９…押圧部、１０…カバーユニット、１１…電池セル、１２ａ…頂面（第１面）、１３Ａ…電極端子（第１電極端子、第２電極端子）、１３Ｂ…電極端子（第３電極端子、第２電極端子）、６１…接続端子（第１接続端子、第２接続端子）、８４…本体部、８４ｓ…被覆面（第２面）、８５…挿通孔（第１挿通孔、第２挿通孔）、８６…ハーネス保持部（第１保持部、第２保持部）、８６ａ…延設部（第１延設部）、８６ｂ…係止片（第１係止片）、８６ｃ…支持部、８８…バスバー保持部（第３保持部）、８８ａ…延設部（第２延設部）、８８ｂ…係止片（第２係止片）、Ｄ１…第１方向、Ｄ２…第２方向、Ｄ３…第３方向、Ｎ…ナット（第１締結具、第２締結具）。
【図１】
2018101488.tif 000003
【図２】
2018101488.tif 000004
【図３】
2018101488.tif 000005
【図４】
2018101488.tif 000006
【図５】
2018101488.tif 000007
【図６】
2018101488.tif 000008
【図７】
2018101488.tif 000009
【図８】
2018101488.tif 000010
【図９】
2018101488.tif 000011
【図１０】
2018101488.tif 000012
【図１１】
2018101488.tif 000013